(57)【要約】【課題】            プラグ或いはコネクタに挿入される接続対象物のグランドをとるために金属面を一面に貼設した接続対象物を用いるが、プラグ或いはコネクタのハウジングとの保持力不足のためひき回しによりハウジングに対してズレが生じる。【解決手段】        圧入片（９，１０）を両側に有するグランドシェル（４）を接続対象物（１３）とは別個に設け、プラグ（１）のハウジング（３）に孔（７，８）を穿孔し、圧力片（９，１０）を孔（７，８）に差込みハウジング（３）に支持させる。一方の圧力片（１０，１０）は接続対象物（１３）の凹部（１５，１５）に係合し接続対象物（１３）の抜けを防止しかつひき回しによるズレを解消させる。【選択図】          図１
2006172869.tif 000002
【特許請求の範囲】
【請求項１】
接続対象物を挿入する開口を有するハウジングとハウジングに保持されるグランドシェルとを備え、グランドシェルがその両側縁にそれぞれ少なくとも対の離間した圧入片を有し、ハウジングが圧入片を受ける孔を有し、各対の離間した圧入片の少なくとも一方がハウジングの開口より内部に挿入された接続対象物に係合しかつハウジングの対応する孔に挿入されることを特徴とするプラグ。
【請求項２】
圧入片の他方がハウジングの対応する孔に挿入される請求項１記載のプラグ。
【請求項３】
グランドシェルが複数のコンタクトを有し、コンタクトに設けた接点部が接続対象物と弾力的に接触しかつグランドシェルがレセプタクルのグランド部と接触自在である請求項２記載のプラグ。
【請求項４】
ハウジングの両側に弾性変形自在な係合アームを有し、該係合アームの突部が挿入されるレセプタクルと弾性的に係合する請求項３記載のプラグ。
【発明の詳細な説明】
【技術分野】
【０００１】
本発明は、グランドシェルを有するプラグに関する。
【背景技術】
【０００２】
電子機器内部の電装部品相互間の電気的接続を得るため、コネクタやプラグが用いられる。コネクタやプラグは、たとえば、フレキシブルフラットケーブル（ＦＦＣ）やフレキシブルプリント基板（ＦＰＣ）の如き接続対象物を介してプリント基板の電装部品相互間を電気的に接続する。
【０００３】
従来のプラグは、特許第３３８０５３９号明細書に示されるように、ロック体の側枠のガイド溝に沿ってフラットケーブルを挿入し、フラットケーブルの側方突起を側枠の係合孔に係合させるものである。フラットケーブルは金属補強板とグランド面よりなり、ロック体に挿入された後、ロック体をレセプタクルに着脱させる構成となっている。
【０００４】
【特許文献１】特許第３３８０５３９号明細書
【特許文献２】特開２００３−３３１９５９号公報
【発明の開示】
【発明が解決しようとする課題】
【０００５】
前述した従来例では、グランド面をフラットケーブルの裏面に形成し、このグランド面をレセプタクルのハウジングに保持されたコンタクトの接点部に接触可能としている。
一方、フラットケーブルは側方突起をロック体の側枠のガイド溝に係合させている。このため、フラットケーブルと側枠との間での遊びが生じ、ロック体をレセプタクルに組み付けたとき、グランド面とコンタクトとの接触圧が一定とならない。加えて、フラットケーブルのひき回しによりフラットケーブルとロック体との間に相対的動きが生じ好ましくない。
【０００６】
それ故に、本発明は前述した従来技術の不具合を解消させることを解決すべき課題とする。
【課題を解決するための手段】
【０００７】
本発明は、前述した課題を解決するために、基本的には圧入片を有するグランドシェルを圧入片を用いてプラグのハウジングに支持させかつ圧入片を接続対象物に係合させる技術手段を採用し、接続対象物のプラグからの抜けを防止しかつ耐ひき回し特性を有するプラグを提供する。
【０００８】
本発明によれば、接続対象物を挿入する開口を有するハウジングとハウジングに保持されるグランドシェルとを備え、グランドシェルがその両側縁にそれぞれ少なくとも対の離間した圧入片を有し、ハウジングが圧入片を受ける孔を有し、各対の離間した圧入片の少なくとも一方がハウジングの開口より内部に挿入された接続対象物に係合しかつハウジングの対応する孔に挿入されることを特徴とするプラグが提供される。
【０００９】
好ましくは、圧入片の他方がハウジングの対応する孔に挿入される。さらに、グランドシェルが複数のコンタクトを有し、コンタクトに設けた接点部が接続対象物と弾力的に接触しかつグランドシェルがレセプタクルのグランド部と接触自在である。
【００１０】
より好ましくは、ハウジングの両側に弾性変形自在な係合アームを有し、該係合アームの突部が挿入されるレセプタクルと弾性的に係合する。
【発明の効果】
【００１１】
グランドシェルを接続対象物とは別個にプラグのハウジングに圧入片を介して支持させ、このグランドシェルに接続対象物を電気的に接続させかつグランドシェルをレセプタクルの端子に接触させており、グランドシェルの圧入片が接続対象物に係合するので、接続対象物のプラグからの抜けはなく、ひき回しにも強いという効果を奏する。
【発明を実施するための最良の形態】
【００１２】
図１を参照する。プラグ１は、その両側に係合アーム２を有するハウジング３と、ハウジング３に担持されるグランドシェル４を有する。プラグ１はレセプタクル５に挿入され、係合アーム２の突部６がレセプタクル５の内壁に係合する。係合アーム２は片持ちであって、その自由端を押すことで突部６とレセプタクル５の内壁との係合を解放し、プラグ１をレセプタクル５より取り外し可能となる。
【００１３】
図４に示すように、ハウジング３の両側に対の孔７，８を穿けられる。
グランドシェル４は、図２と図３に示すように、導電材の基板の両側縁に離間した対の圧入片９，１０を有し、圧入片９，１０は基板の下方へ延在し、その両側縁に抜け防止用の突部を有し、孔７，８への挿入を容易にするよう先端にテーパ部を設けている。圧入片９は孔７にかつ圧入片１０は孔８に係合可能である。
グランドシェル４の基板には複数のコンタクト１１が設けられる。コンタクト１１は、片持ち式で弓形に反っており（図６参照）、その先端に接点部１２を有す。
【００１４】
接続対象物１３は、図示しない複数の極を有しかつその裏面に銅箔１４を備える。接続対象物１３の両側縁に切り欠き状の凹部１５を形成する。凹部１５は、接続対象物１３をプラグ１に挿入したとき圧入片１０及び孔８と同位置に来るよう形成される。
【００１５】
使用に際しては、プラグ１のハウジング３内に接続対象物１３を挿入する。次いで、グランドシェル４の圧入片９，１０を孔７，８に挿入するようにしてグランドシェル４をハウジング３に保持させる。このとき、圧入片１０，１０は、接続対象物１３の両側の凹部１５，１５に係合し、接続対象物１３の抜けを防止する。グランドシェル４が接続対象物１３の両側縁と係合するので接続対象物１３の耐ひき回し性能は向上する。
【図面の簡単な説明】
【００１６】
【図１】本発明の一例のプラグの平面図である。
【図２】グランドシェルの平面図である。
【図３】グランドシェルの側面図である。
【図４】プラグのハウジングの一部を示す断面図である。
【図５】接続対象物の平面図である。
【図６】図１の矢視VI−VIより見た断面図である。
【符号の説明】
【００１７】
１    プラグ
２    係合アーム
３    ハウジング
４    グランドシェル
５    レセプタクル
６    突部
７，８    孔
９，１０    圧入片
１１    コンタクト
１３    接続対象物
１５    凹部
【図１】
2006172869.tif 000003
【図２】
2006172869.tif 000004
【図３】
2006172869.tif 000005
【図４】
2006172869.tif 000006
【図５】
2006172869.tif 000007
【図６】
2006172869.tif 000008